(57)【要約】【課題】  流し撮りの際にセルフタイマ撮影機能を無効にする。【解決手段】  姿勢検知部１８８は撮像装置１００の本体１３０の姿勢を検知する。姿勢検知部１８８が本体１３０の流し撮りに相当する動きを示す場合、または、モード切替えスイッチ１７８Ａにより流し撮りに相当するモードが設定されている場合で、セルフタイマ撮影が設定されているとき、システム制御部１３４は、セルフタイマ撮影の設定を一時的に無効化する。システム制御部１３４は、流し撮り撮影の終了により、セルフタイマ撮影の設定を戻す。【選択図】  図５
2018026608.tif 000002
【特許請求の範囲】
【請求項１】
撮影を指示する撮影指示手段と、
前記撮影指示手段による撮影指示を受けて撮影を行う撮像手段と、
流し撮り撮影の補助機能の有効または無効を切り替える切替え手段と、
前記流し撮り撮影の補助機能が有効である場合に、前記撮影指示を受けると、セルフタイマ設定を解除して撮影を行うよう制御する制御手段
とを有することを特徴とする撮像装置。
【請求項２】
前記流し撮り撮影の補助機能は、流し取り撮影のための撮影モードが設定されている場合に有効となることを特徴とする請求項１記載の撮像装置。
【請求項３】
流し撮りを行うか否かを設定する設定手段を更に有し、
前記流し撮り撮影の補助機能は、前記設定手段で流し撮りを行う設定となっている場合に有効となることを特徴とする請求項１に記載の撮像装置。
【請求項４】
前記撮像装置の動きを検知する動き検知手段を更に有し、
前記流し撮り撮影の補助機能は、前記動き検知手段によって流し撮りに対応する前記撮像装置の動きが検知されたことに応じて有効となることを特徴とする請求項１に記載の撮像装置。
【請求項５】
前記制御手段は、前記流し撮り撮影の補助機能が有効となっている場合に、前記セルフタイマ設定を解除し、単写か連写かの設定を維持することを特徴とする請求項１乃至４のいずれか１項に記載の撮像装置。
【請求項６】
前記制御手段は、流し撮り撮影の終了に応じて、前記セルフタイマ設定を復元することを特徴とする請求項１乃至５のいずれか１項に記載の撮像装置。
【請求項７】
前記流し撮り撮影の補助機能が有効であるとき、セルフタイマ撮影の設定が選択不能であることを特徴とする請求項１乃至６のいずれか１項に記載の撮像装置。
【請求項８】
前記流し撮りの補助機能は、シャッタ速度を遅めに調整する機能であることを特徴とする請求項１乃至７のいずれか１項に記載の撮像装置。
【請求項９】
前記流し撮り撮影の補助機能は、流し撮りのための撮像装置のフレーミング方向と異なる方向のブレを補正する機能、流し撮り撮影のための撮像装置のフレーミングの方向について主被写体のブレを補正する機能、撮影範囲の一定の位置に指標を表示する機能の少なくとも１つであることを特徴とする請求項１乃至８のいずれか１項に記載の撮像装置。
【請求項１０】
撮像装置の制御方法であって、
撮影指示を受け付けるステップと、
流し撮り撮影の補助機能の有効または無効を切り替える切替えステップと、
前記流し撮り撮影の補助機能が有効である場合に、前記撮影指示を受けると、セルフタイマ設定を解除して撮影を行うよう制御する制御ステップ
とを有することを特徴とする撮像装置の制御方法。
【請求項１１】
コンピュータを、請求項１乃至９のいずれか１項に記載された撮像装置の各手段として機能させるためのプログラム。
【請求項１２】
コンピュータを、請求項１乃至９のいずれか１項に記載された撮像装置の各手段として機能させるためのプログラムを格納したコンピュータが読み取り可能な記憶媒体。
【発明の詳細な説明】
【技術分野】
【０００１】
本発明は、撮像装置、撮像装置の制御方法及びプログラム並びに記憶媒体に関し、流し撮り撮影を容易に行える撮像装置、その制御方法及びプログラム並びに記憶媒体に関する。
【背景技術】
【０００２】
走行中の自動車、電車及び馬等の動物体を静止した撮像装置で撮影すると、走行方向に動物体の画像が流れてしまう。これを軽減する撮影手法として、動物体の走行に沿って撮像装置の向きを変更しながら撮影する撮影手法、いわゆる流し撮り撮影が知られている。流し撮り撮影では、動いている被写体のぶれが抑制されるが、背景部分がぶれた画像になる。
【０００３】
特許文献１には、手ぶれ補正のための像振れ補正光学素子を有する撮像装置において、流し撮り撮影の際に、流し撮り撮影方向に撮影光軸が旋回移動するように像振れ補正光学素子を制御する流し撮り撮影支援機能が記載されている。
【０００４】
ほとんどの撮像装置は、シャッタレリーズ操作から一定時間後（例えば、１０秒後）に撮像を実行する、いわゆるセルフタイマモードを有する。特許文献２には、セルフタイマ動作中に撮像装置本体の振動を検出すると、セルフタイマ撮影を中止する技術が記載されている。
【先行技術文献】
【特許文献】
【０００５】
【特許文献１】特開２０１５−５２７３５号公報
【特許文献２】特開平０７−３３３７２４号公報
【発明の概要】
【発明が解決しようとする課題】
【０００６】
流し撮り撮影を行おうとするときにセルフタイマ機能が有効化されていると、シャッタチャンスを逃してしまう。流し撮り撮影の被写体は動いているため、一度シャッタチャンスを逃した場合の影響が特に大きい。
【０００７】
特許文献２に記載される技術を導入したとしても、例えば、流し撮り撮影のために撮像装置を動かしたことによる振動の検出によって、セルフタイマ撮影が中止されるため撮影は行われず、やはり、シャッタチャンスを逃してしまう。
【０００８】
本発明は、セルフタイマモードにユーザが気付かなくても、シャッタチャンスを逃すことなく流し撮りを実行できるようにした撮像装置、撮像装置の制御方法及びプログラム並びに記憶媒体を提示することを目的とする。
【課題を解決するための手段】
【０００９】
本発明に係る撮像装置は、撮影を指示する撮影指示手段と、前記撮影指示手段による撮影指示を受けて撮影を行う撮像手段と、流し撮り撮影の補助機能の有効または無効を切り替える切替え手段と、前記流し撮り撮影の補助機能が有効である場合に、前記撮影指示を受けると、セルフタイマ設定を解除して撮影を行うよう制御する制御手段とを有することを特徴とする。
【発明の効果】
【００１０】
本発明によれば、流し撮り撮影を行う場合に自動的にセルフタイマ設定を解除するので、セルフタイマ設定に邪魔されずに流し撮りを行えるようになる。
【図面の簡単な説明】
【００１１】
【図１】本発明の一実施例の概略構成ブロック図である。
【図２】本実施例の外観斜視図である。
【図３】単写／連写／セルフタイマ設定の設定画面例である。
【図４】単写／連写／セルフタイマ設定の動作フローチャートである。
【図５】単写／連写／セルフタイマ設定切替え処理の制御フローチャートである。
【図６】レリーズ処理の制御フローチャートである。
【図７】撮影時の制御フローチャートである。
【図８】撮影時の別の制御フローチャートである。
【図９】撮影時の第３の制御フローチャートである。
【発明を実施するための形態】
【００１２】
以下、図面を参照して、本発明の実施例を詳細に説明する。
【実施例１】
【００１３】
図１は、本発明に係る撮像装置の一実施例であるデジタルカメラ１００の概略構成ブロック図を示す。デジタルカメラ１００は、レンズユニット１１０を本体１３０に着脱可能な、いわゆる一眼レフカメラであり、撮影画像データを記録媒体１９０に記録再生する。図２（ａ）は、デジタルカメラ１００の正面側から見た斜視図を示し、図２（ｂ）は、背面側から見た斜視図を示す。
【００１４】
レンズユニット１１０は、光学素子としてレンズ１１４及び絞り１１６を具備する。レンズ１１４はフォーカシングレンズ及びズームレンズ等を含む複数のレンズからなるが、ここでは１枚のレンズとして図示してある。ＡＦ駆動回路１１８は、レンズ１１４のフォーカシングレンズを光軸方向に駆動し、絞り駆動回路１２０は、絞り１１６を指示された開度に駆動する。レンズユニット１１０の接続端子１２２は、レンズユニット１１０を本体１３０に装着した状態で、本体１３０の接続端子１３２と電気的に接続する。レンズシステム制御回路１２４は、接続端子１２２，１３２を介して本体１３０のシステム制御部１３４と通信する。レンズシステム制御回路１２４は、システム制御部１３４からの指示に従い、ＡＦ駆動回路１１８によりレンズユニット１１０のフォーカスを調整し、絞り駆動回路１２０により絞り値を調整する。
【００１５】
レンズユニット１１０を透過した被写体光は、本体１３０のクイックリターンミラー１３６（以下、「ミラー１３６」と略す）に入射する。ミラー１３６は、非撮影時には、図１に示す位置にあり、レンズユニット１１０からの被写体光を上方向に偏向し、被写体光学像をフォーカシングスクリーン１３８に結像する。フォーカシングスクリーン１３８とペンタプリズム１４０の間には、シャッタスピード及び絞り値等の撮影パラメータを表示する液晶パネル１４２が配置されている。撮影者は、接眼ファインダ１４４により、フォーカシングスクリーン１３８上の被写体光学像により構図と合焦度を視覚的に確認し、同時に、液晶パネル１４２の表示により撮影パラメータ値を確認できる。
【００１６】
ペンタプリズム１４０の近傍により、被写体の輝度を計測する、いわゆるＡＥセンサ１４６が配置されている。システム制御部１３４は、ＡＥセンサ１４６の出力により、絞り１１６の絞り値と、シャッタ速度を決定する。
【００１７】
ミラー１３６の中央部はハーフミラーとなっており、このハーフミラーを透過した光が焦点検出部１４８に入射する。焦点検出部１４８は、例えば位相差方式により、レンズユニット１１０が目的に被写体に合焦しているかどうかを検出する。システム制御部１３４は、焦点検出部１４８の焦点検出値に従い、レンズシステム制御回路１２４を介してレンズユニット１１０の合焦度を制御する。
【００１８】
撮影時には、システム制御部１３４は、ミラー１３６をその上端を中心に跳ね上げる。これにより、レンズユニット１１０を透過した被写体光は、ミラー１３６の背後に配置されたシャッタ１５０に入射し、シャッタ１５０が開いている間、撮像素子１５２に入射する。周知の通り、システム制御部１３４は撮像素子１５２を露光する時間、シャッタ１５０を開状態にする。シャッタ１５０は、例えば、フォーカルプレーンシャッタからなる。シャッタ１５０のような機械的シャッタの代わりに、撮像素子１５２の蓄積電荷の排出タイミングの制御により撮像素子１５２の露光時間を制御する電子シャッタ方式を採用してもよい。
【００１９】
撮像素子１５２は、光学像を電気信号に変換するＣＣＤ又はＣＭＯＳの撮像素子で構成される。Ａ／Ｄ変換部１５４は、撮像素子１５２から出力されるアナログ信号をデジタル信号に変換する。
【００２０】
画像処理部１５６は、Ａ／Ｄ変換部１５４からの画像データ又はメモリ制御部１５８からの画像データに対し所定の画素補間及び縮小といったリサイズ処理並びに色変換処理を行う。また、画像処理部１５６は、撮像した画像データに所定の演算処理を行い、得られた演算結果に基づいてシステム制御部１３４が露光制御及び測距制御を行う。これにより、ＴＴＬ（スルー・ザ・レンズ）方式のＡＦ（オートフォーカス）処理、ＡＥ（自動露出）処理及びＥＦ（フラッシュプリ発光）処理が行われる。画像処理部１５６は更に、撮像した画像データに所定の演算処理を行い、得られた演算結果に基づいてＴＴＬ方式のＡＷＢ（オートホワイトバランス）処理も行う。
【００２１】
Ａ／Ｄ変換部１５４からの出力データは、画像処理部１５６及びメモリ制御部１５８を介して、或いは、メモリ制御部１５８を介してメモリ１６０に直接書き込まれる。メモリ１６０は、撮像素子１５２によって得られＡ／Ｄ変換部１５４によりデジタルデータ化された画像データ、及び表示部１６４に表示するための画像データを格納する。メモリ１６０は、所定枚数の静止画像や所定時間の動画像および音声を格納するのに十分な記憶容量を備えている。
【００２２】
メモリ１６０は、画像表示用メモリ（ビデオメモリ）を兼ねる。Ｄ／Ａ変換部１６２は、メモリ１６０に格納されている表示用画像データをアナログ信号に変換して表示部１６４に供給する。こうして、表示部１６４は、メモリ１６０に書き込まれた表示用画像データが示す画像を表示する。撮像素子１５２により撮像された画像信号をＡ/Ｄ変換部１５４、メモリ１６０及びＤ／Ａ変換部１６２を介して逐次、表示部１６４に供給することで、表示部１６４が電子ビューファインダとして機能する。表示部１６４がいわゆるスルー画像を表示することは、ライブビュー表示と呼ばれる機能である。
【００２３】
表示制御回路１６６は、システム制御部１３４からの指示に従い、液晶パネル１４２の画面に、現在オートフォーカスが行われている測距点を示す枠（ＡＦ枠）と、カメラの設定状態を表すアイコンなどを表示する。表示制御回路１６８は、システム制御部１３４からの指示に従い、本体１３０の上面に配置される液晶パネル１７０に、シャッタ速度、絞り値及び動作モード等の様々な設定値を表示する。
【００２４】
不揮発性メモリ１７２は、電気的に消去・記録可能なメモリであり、例えばＥＥ１ＲＯＭ等が用いられる。不揮発性メモリ１７２には、システム制御部１３４の動作用の定数及びプログラム等が記憶される。ここでいうプログラムは、以下にフローチャート等を参照して説明する動作をシステム制御部１３４に実現させるプログラムである。
【００２５】
システム制御部１３４は、デジタルカメラ１００全体を制御する１または複数のプロセッサからなる。システム制御部１３４は、不揮発性メモリ１７２に記録された制御プログラムを実行することで以下の各処理を実現する。システムメモリ１７４は、ＲＡＭからなる。システムメモリ１７４には、システム制御部１３４の動作用の定数及び変数、並びに不揮発性メモリ１７２から読み出したプログラム等が展開される。システム制御部１３４は、メモリ１６０、Ｄ／Ａ変換部１６２及び表示部１６４等を制御することにより、表示部１６４の表示を制御する。
【００２６】
システムタイマ１７６は、各種制御に用いる時間、及び、内蔵時計の時間を計測する計時部である。
【００２７】
ユーザは、操作部１７８を使ってシステム制御部１３４に種々の指示を入力できる。操作部１７８として、本体１３０には複数の機械スイッチ１７８Ａ〜１７８Ｋが配置される。
【００２８】
モード切替えスイッチ１７８Ａは、システム制御部１３４の動作モードとして、静止画記録モード、動画撮影モード及び再生モード等のいずれかに切り替える。静止画記録モードにはサブモードとして、オート撮影モード、オートシーン判別モード、マニュアルモード、絞り優先モード（Ａｖモード）及びシャッタ速度優先モード（Ｔｖモード）がある。また、撮影シーン別の撮影設定となる各種シーンモード、プログラムＡＥモード及びカスタムモード等がある。モード切替えスイッチ１７８Ａにより、これらのモード及びサブモードをそのいずれかに設定できる。モード切替えスイッチ１７８Ａにより撮影モードの一覧画面に一旦切り換えた後に、表示された複数のモードのいずれかを選択し、他の操作部材を用いて切り替えるようにしてもよい。同様に、動画撮影モードにも、複数のモード（サブモード）が含まれていてもよい。
【００２９】
シャッタボタン１７８Ｂは、その操作途中、いわゆる半押し（撮影準備指示）でオンとなるスイッチと、シャッタボタン１７８Ｂの操作完了、いわゆる全押し（撮影指示）でオンとなるスイッチを内蔵する。シャッタボタン１７８Ｂは、前者のスイッチのオンで第１シャッタスイッチ信号ＳＷ１を発生し、後者のスイッチのオンで第２シャッタスイッチ信号ＳＷ２を発生する。システム制御部１３４は、第１シャッタスイッチ信号ＳＷ１により、ＡＦ処理、ＡＥ処理、ＡＷＢ処理及びＥＦ処理等の動作を開始する。システム制御部１３４は、第２シャッタスイッチ信号ＳＷ２により、撮像素子１５２からの信号読み出しから記録媒体１９０への画像データの書き込みまでの一連の撮影処理の動作を開始する。
【００３０】
メイン電子ダイヤル１７８Ｃは回転操作部材であり、回転によりシャッタ速度及び絞りなどの設定値を変更できる。電源スイッチ１７８Ｄは、デジタルカメラ１００の電源のオン及びオフの切り替えをシステム制御部１３４に指示する。サブ電子ダイヤル１７８Ｅは回転操作部材からなり、選択枠の移動と画像送りなどに使用される。十字キー１７８Ｆは、上、下、左及び右部分をそれぞれ押し込み可能な４方向キーからなり、押した部分に応じた操作をシステム制御部１３４に入力できる。ＳＥＴボタン１７８Ｇは押しボタンからなり、主に選択項目の決定などに用いられる。
【００３１】
ＬＶボタン１７８Ｈは、メニューボタンにおいてライブビュー（ＬＶ）のオンとオフを切り替えるボタンである。動画撮影モードでは、動画撮影（記録）の開始と停止の指示に用いられる。
【００３２】
拡大ボタン１７８Ｉは、撮影モードのライブビュー表示において拡大モードのオン、オフ及び拡大モード中の拡大率の変更をシステム制御部１３４に指示する手段である。再生モードでは、再生画像を拡大し、また拡大率を増加させる操作として機能する。縮小ボタン１７８Ｊは、拡大された再生画像の拡大率の低減と、表示された画像の縮小をシステム制御部１３４に指示する操作手段である。
【００３３】
再生ボタン１７８Ｋは、撮影モードと再生モードとを切り替える操作ボタンである。撮影モード中にユーザが再生ボタン１７８Ｋを押下すると、システム制御部１３４は再生モードに移行し、記録媒体１９０に記録された画像のうち最新の画像を表示部１６４に表示する。
【００３４】
操作部１７８は、表示部１６４の画面上に配置されるタッチパネルを含み、表示部１６４に表示される種々の機能アイコンの選択操作により各機能アイコンに割り当てられた操作指示をシステム制御部１３４に入力できる。機能アイコンとしては、例えば終了ボタン、戻るボタン、画像送りボタン、ジャンプボタン、絞込みボタン及び属性変更ボタン等がある。例えば、メニューボタンが押されると、各種の設定メニュー画面が表示部１６４に表示される。ユーザは、表示部１６４に表示されたメニュー画面と、画面上の機能ボタン又は、十字キー１７８Ｆ及びＳＥＴボタン１７８Ｇを用いて、各種設定を行うことができる。
【００３５】
電源制御部１８０は、電池検出回路、ＤＣ−ＤＣコンバータ、及び通電するブロックを切り替えるスイッチ回路等により構成され、電池の装着の有無、電池の種類及び電池残量を検出する。また、電源制御部１８０は、その検出結果及びシステム制御部１３４の指示に基づいてＤＣ−ＤＣコンバータを制御し、必要な電圧を必要な期間、記録媒体１９０を含む各部に供給する。電源部１８２は、アルカリ電池やリチウム電池等の一次電池やＮｉＣｄ電池やＮｉＭＨ電池、Ｌｉ電池等の二次電池又はＡＣアダプタ等からなる。
【００３６】
通信部１８４は、無線または有線ケーブルを介して他の装置と通信し、映像信号及び音声信号等を送受信できる。通信部１８４は無線ＬＡＮ（Local Area Network）にもインターネットにも接続可能である。通信部１８４は撮像素子１５２で撮像した画像（スルー画像を含む）及び記録媒体１９０に記録された画像を送信可能であり、また、外部機器から画像データ及びその他の各種情報を受信できる。
【００３７】
姿勢検知部１８６は、重力方向に対するデジタルカメラ１００の姿勢及び動きを検知する。姿勢検知部１８６で検知された姿勢に基づいて、システム制御部１３４は、撮像素子１５２で撮影された画像がカメラ１００を横に構えて撮影された画像であるか、縦に構えて撮影された画像なのかを判別できる。システム制御部１３４は、姿勢検知部１８６で検知された姿勢に応じた向き情報を撮影画像の画像ファイルに付加し、撮影画像を回転して記録することが可能である。システム制御部１３４はまた、姿勢検知部１８６の検知出力により、カメラ１００がパンしているか、チルトしているか、前後に動いているかなどを判別できる。姿勢検知部１８６としては、加速度センサやジャイロセンサなどを用いることができる。
【００３８】
記録媒体インターフェース１８８には、メモリカードまたはハードディスク等の記録媒体１９０が接続する。記録媒体１９０は、蓋１９２により閉成されるスロットに挿入されて、記録媒体インターフェース１８８に電気的に接続する。
【００３９】
本実施例において、流し撮り撮影の補助機能を有効にする方法について説明する。例えば、操作部１７８で切替え可能な撮影モードの一つとして流し撮り撮影モードを提供する方法が考えられる。撮影モードが流し撮り撮影モードに設定されると流し撮り撮影の補助機能が有効に切り替えられ、他の撮影モードに設定されると、流し撮り撮影の補助機能が無効となる。また、表示部１６４に表示される設定画面の一つとして流し撮り撮影設定画面を提供し、そこで流し撮り撮影設定のオン／オフを設定する方法が考えられる。流し撮り撮影設定がオンに設定されると、流し撮り撮影の補助機能が有効に切り替えられ、流し撮り撮影設定がオフに設定されると、流し撮り撮影の補助機能が無効に切り替えられる。流し撮り撮影の補助機能が有効である場合、例えば、システム制御部１３４は、シャッタ１５０のシャッタ速度を遅めに調整するか、レンズ１１４に含まれるぶれ補正光学素子を流し撮り撮影方向以外のブレを補正するように制御するか、その両方を制御する。他の方法として、姿勢検知部１８６によって本体１３０の運動状態を検出し、例えば、本体１３０が一方向に一定速度で運動している場合に、流し撮り撮影の補助機能を有効にする等の方法も考えられる。または、ＬＶ（ライブビュー）画像を用いて、本体１３０が一方向に一定速度で運動していることを検出・判定して、流し撮り撮影の補助機能を有効にする方法も考えられる。このように、流し撮り撮影の補助機能を有効にする方法は種々考えられるが、本発明はその方法に限定されない。
【００４０】
図３は、静止画撮影モードにおける単写／連写／セルフタイマの設定画面例を示す。３０１は、本設定画面の内容を表すタイトルである。３０２は、カーソル３０５で選択中の設定内容を示す説明文である。本実施例では、レリーズ制御の設定として、ユーザのレリーズ操作に基づく単写と連写、及びセルフタイマによるレリーズに基づく単写と連写のいずれかを選択できる。
【００４１】
３０５は、各選択肢を示すアイコン３１０、３１１、３１２、３１３、３１４のうちの選択中のアイコンを示すカーソルである。
【００４２】
３１０は、単写設定を示すアイコンである。単写設定時、システム制御部１３４は単写撮影を行うように各部を制御する。
【００４３】
３１１は、連写設定を示すアイコンである。連写設定時、システム制御部１３４は、連写撮影を行うように各部を制御する。
【００４４】
３１２は、１０秒セルフタイマ設定を示すアイコンである。１０秒セルフタイマ設定時、システム制御部１３４は、レリーズ開始指示を受けてから１０秒経過後にレリーズ処理を行うように各部を制御する。
【００４５】
３１３は、２秒セルフタイマ設定を示すアイコンである。２秒セルフタイマ設定時、システム制御部１３４は、レリーズ開始指示を受けてから２秒経過後にレリーズ処理を行うように各部を制御する。
【００４６】
３１４は、連写セルフタイマ設定を示すアイコンであり、３１５は、連写セルフタイマ設定における連写枚数を示す設定値である。連写セルフタイマ設定時、システム制御部１３４は、レリーズ開始指示を受けてから１０秒経過後にレリーズ処理を行い、設定値３１５で指示された枚数の連写撮影を行うように各部を制御する。
【００４７】
図３に示す単写／連写／セルフタイマの設定では、他の設定との関係で選択できるべきではないアイコン３１０〜３１５については、選択不能とするのが好ましい。その際、該当するアイコン３１０〜３１５をグレーアウトすることで、選択不可をユーザに示すのが好ましい。選択不可のアイコンにカーソル３０５を重ねたとき、選択不可である旨を表示するようにしてもよい。流し撮り撮影の補助機能が有効となっている場合には、単写／連写／セルフタイマの設定のうち、セルフタイマの設定にするアイコン３１２〜３１４は選択不可となり、グレーアウト（識別表示）するものとする。流し撮り撮影の補助機能が無効となっている場合はセルフタイマの設定にするアイコン３１２〜３１４も選択及び設定が行える。流し撮り撮影の補助機能が無効となっている場合にセルフタイマの設定にするアイコン３１２〜３１４のいずれかに対応する設定とされた後、流し撮り撮影の補助機能が有効とされた場合の処理については図５を用いて後述する。  
【００４８】
図４は、図３に示す単写／連写／セルフタイマの設定に対するシステム制御部１３４の動作フローチャートを示す。図４に示すフローチャートに対応するプログラムが不揮発性メモリ１７２に格納されており、システム制御部１３４は、このプログラムをシステムメモリ１７４に展開し実行することで、図４に示す処理を実現する。この処理は、ユーザーが単写／連写／セルフタイマの設定を行う場合の処理であり、単写／連写／セルフタイマの設定画面の表示指示操作を受付けると開始する。
【００４９】
Ｓ４０１で、システム制御部１３４は、単写／連写／セルフタイマを設定するための図３に示す詳細設定画面を表示部１６４に表示する。
【００５０】
Ｓ４０２で、システム制御部１３４は、図３に示す設定画面に対して、ユーザによる選択を受け付ける。例えば、システム制御部１３４は、操作部１７８のカーソル移動操作に応じてカーソル３０５を移動する。なお、設定値が変更されるタイミングとしては、カーソル３０５の移動を即決定と判定しても良いし、ＳＥＴボタン１７８Ｇを押下した時点で決定としてもよい。
【００５１】
Ｓ４０３で、システム制御部１３４は、ユーザによる図３に示す設定画面による設定の終了操作の有無を判定する。終了操作が行われたと判定された場合、システム制御部１３４は、Ｓ４０４に進む。終了操作が行われていない場合、システム制御部１３４は、Ｓ４０２に戻る。
【００５２】
Ｓ４０４で、システム制御部１３４は、単写／連写／セルフタイマ設定値を保存する。保存された設定値は、例えば、流し撮り撮影の補助機能を解除した際に復元される。
【００５３】
Ｓ４０５で、システム制御部１３４は、図３に示す設定画面を消去して元の画面に戻す。
【００５４】
図５は、流し撮り撮影かどうかと、図４に示す処理で設定された単写／連写／セルフタイマ設定値に応じて、カメラ１００の連写／単写／セルフタイマの設定を自動的に切り替える処理のフローチャートを示す。図５に示すフローチャートに対応するプログラムが不揮発性メモリ１７２に格納されており、システム制御部１３４は、このプログラムをシステムメモリ１７４に展開し実行することで、図５に示す処理を実現する。
【００５５】
Ｓ５０１で、システム制御部１３４は、流し撮り撮影の補助機能が有効であるか否かを判定する。流し撮り撮影の補助機能が有効である場合、システム制御部１３４は、Ｓ５０２に進む。流し撮り撮影の補助機能が有効でない場合、システム制御部１３４は、Ｓ５０３に進む。
【００５６】
Ｓ５０２で、システム制御部１３４は、現在の単写／連写／セルフタイマ設定がセルフタイマ撮影（単写または連写）か否かを判定する。セルフタイマ撮影の場合（アイコン３１２〜３１４のいずれかに対応する設定となっている場合）、システム制御部１３４は、Ｓ５０４に進む。セルフタイマ撮影でない場合、図５に示す処理を終了する。
【００５７】
Ｓ５０３で、システム制御部１３４は、Ｓ３０４で保存した単写／連写／セルフタイマ設定値に連写／単写／セルフタイマ設定値を戻す。これにより、流し撮り撮影の補助機能が解除された場合に、単写／連写／セルフタイマ設定を流し撮り撮影の前の設定値に戻すことができる。その後、システム制御部１３４は、図５に示す処理を終了する。
【００５８】
Ｓ５０４で、システム制御部１３４は、現在の単写／連写／セルフタイマ設定が単写セルフタイマか、連写セルフタイマかを判定する。ここでは、単写セルフタイマの設定は、１０秒セルフタイマ設定または２秒セルフタイマ設定である。単写セルフタイマの設定である場合、システム制御部１３４は、Ｓ５０５に進む。連写セルフタイマの設定の場合、システム制御部１３４は、Ｓ５０６に進む。
【００５９】
Ｓ５０５で、システム制御部１３４は、単写／連写／セルフタイマ設定を単写（セルフタイマはオフ）に変更して、図５に示すフローを終了する。つまり、システム制御部１３４は、セルフタイマ設定のみを解除し、単写撮影の設定を維持する。
【００６０】
Ｓ５０６で、システム制御部１３４は、単写／連写／セルフタイマ設定を連写（セルフタイマはオフ）に変更して、図５に示す処理を終了する。つまり、システム制御部１３４は、セルフタイマ設定のみを解除し、連写撮影の設定を維持する。
【００６１】
Ｓ５０５，Ｓ５０６における単写／連写／セルフタイマ設定の変更では、元の設定値に依らず常に連写または単写に変更するようにしてもよい。
【００６２】
図６は、レリーズ処理の制御フローチャートである。図６に示すフローチャートに対応するプログラムが不揮発性メモリ１７２に格納されており、システム制御部１３４は、このプログラムをシステムメモリ１７４に展開し実行することで、図６に示す処理を実現する。
【００６３】
Ｓ６０１で、システム制御部１３４は、測距処理としてＡＦ（オートフォーカス）処理を行う。
【００６４】
Ｓ６０２で、システム制御部１３４は、流し撮り撮影の補助機能が有効か否かを判定する。流し撮り撮影の補助機能が有効である場合、システム制御部１３４は、Ｓ６０３で、流し撮り撮影用の測光処理とＡＥ（自動露光）処理を実行し、Ｓ６０５に進む。流し撮り撮影の補助機能が有効でない場合、システム制御部１３４は、Ｓ６０４で、通常用測光処理とＡＥ（自動露光）処理を実行し、Ｓ６０５に進む。ＡＥ（自動露光）処理では、測光結果とプログラム線図に基づいてシャッター速度と絞り値の少なくとも一方を決定し、設定する。通常、流し撮り撮影では、被写体の躍動感を出すためにシャッタ速度を遅くするのが一般的である。シャッター速度を遅めにすることで、主被写体以外の背景が流し撮りの動きによる被写体ブレによって流れたような表現となる。従って、流し撮り撮影用測光処理／ＡＥ（自動露光）処理（Ｓ６０３）では、流し撮り撮影の補助機能として、同じ測光結果であれば、通常用測光処理／ＡＥ（自動露光）処理（Ｓ６０４）の場合よりシャッタ速度を遅くする。
【００６５】
Ｓ６０５で、システム制御部１３４は、第２シャッタスイッチ信号ＳＷ２がオンか否か判定する。第２シャッタスイッチ信号ＳＷ２がオンの場合、システム制御部１３４は、Ｓ６０６に進む。第２シャッタスイッチ信号ＳＷ２がオフの場合、システム制御部１３４は、Ｓ６０７に進む。
【００６６】
Ｓ６０７で、システム制御部１３４は、第１シャッタスイッチ信号ＳＷ１がオンか否かを判定する。第１シャッタスイッチ信号ＳＷ１がオンの場合、システム制御部１３４は、Ｓ６０２に戻り、Ｓ６０３またはＳ６０４による測光処理を繰り返す。Ｓ６０２でなくＳ６０１に戻り、測距処理も繰り返すようにしても良い。例えば、サーボＡＦのように被写体に追従し続ける制御である場合には、Ｓ６０１に戻るのが好ましい。第１シャッタスイッチ信号ＳＷ１がオフの場合、システム制御部１３４は、図６に示す処理を終了し、呼び出し元に戻る。
【００６７】
Ｓ６０６で、システム制御部１３４は、Ｓ６０１での測距結果及びＳ６０３またはＳ６０４で得られた測光結果に従い、レリーズ処理（撮像と撮像画像の画像ファイルとしての記録処理）を実行する。なお、ここで、連写／単写／セルフタイマの設定でセルフタイマの設定が有効となっている場合は、セルフタイマのカウントダウンを行ってから露光処理が行われる。流し取り撮影の補助機能が有効となっている場合には、前述の処理によってセルフタイマの設定は解除されているので、ここでカウントダウンが行われることはなく、ＳＷ２オン（シャッターボタンの全押し）に応じて速やかに撮影が行われる。
【００６８】
Ｓ６０８で、システム制御部１３４は、第２シャッタスイッチ信号ＳＷ２がオフかオンか判定する。第２シャッタスイッチ信号ＳＷ２がオフの場合、システム制御部１３４は、Ｓ６０９に進む。第２シャッタスイッチ信号ＳＷ２がオンの場合、システム制御部１３４は、Ｓ６１０に進む。
【００６９】
Ｓ６１０で、システム制御部１３４は、連写／単写／セルフタイマの設定に基づき、単写か連写かを判定する。連写の場合、システム制御部１３４は、Ｓ６０６に戻り、レリーズ処理を再度、実行する。ただし、連写枚数が指定されている場合には、その指定枚数だけ、システム制御部１３４は、レリーズ処理（Ｓ６０６）を実行する。単写の場合、システム制御部１３４は、Ｓ６０８に戻る。
【００７０】
Ｓ６０９で、システム制御部１３４は、第１シャッタスイッチ信号ＳＷ１がオフになるのを待機する。第１シャッタスイッチ信号ＳＷ１がオフになると、システム制御部１３４は、図６に示すフローを終了し、呼び出し元に戻る。
【００７１】
図７は、流し撮りの際の制御フローチャートを示す。図７に示すフローチャートに対応するプログラムが不揮発性メモリ１７２に格納されており、システム制御部１３４は、このプログラムをシステムメモリ１７４に展開し実行することで、図７に示す処理を実現する。
【００７２】
Ｓ７０１で、システム制御部１３４は、第１シャッタスイッチ信号ＳＷ１がオンになるのを待機する。第１シャッタスイッチ信号ＳＷ１がオンになると、システム制御部１３４は、Ｓ７０２に進む。
【００７３】
Ｓ７０２で、システム制御部１３４は、単写／連写／セルフタイマの現在の設定値を保存し、流し撮りに応じた設定値に切り替える。この切替え処理の詳細は、図５を参照して説明した通りである。
【００７４】
Ｓ７０３で、システム制御部１３４は、図６を参照して説明した手順で、レリーズ処理を行う。
【００７５】
Ｓ７０４で、システム制御部１３４は、Ｓ７０２で保存した単写／連写／セルフタイマの設定値を復元し、図７に示す処理を終了する。
【００７６】
以上のように、流し撮りを行う際には、撮影前に単写／連写／セルフタイマのレリーズ設定値を一時的に退避して流し撮りに適した設定値に切り替え、流し撮り終了後には、退避したレリーズ設定値に戻す。これにより、ユーザに手間をかけさせることなしで、流し撮りに適したレリーズ設定で流し撮りを行えるようになる。
【実施例２】
【００７７】
図８は、流し撮りの別の制御フローチャートを示す。図８に示すフローチャートに対応するプログラムが不揮発性メモリ１７２に格納されており、システム制御部１３４は、このプログラムをシステムメモリ１７４に展開し実行することで、図８に示す処理を実現する。
【００７８】
Ｓ８０１で、システム制御部１３４は、流し撮り設定画面を表示部１６４に表示する。この流し撮り設定画面で、撮影者は、操作部１７８を使って、流し撮り撮影設定がオンまたはオフを設定する。オンとなると流し撮り撮影の補助機能が有効となる。
【００７９】
Ｓ８０２で、システム制御部１３４は、Ｓ８０１で流し撮り撮影設定がオンとなったかどうかを判定する。Ｓ８０２で流し撮り撮影設定がオンに設定された場合、システム制御部１３４は、Ｓ８０３で図５を参照して説明した手順で単写／連写／セルフタイマの設定を切り替え、Ｓ８０４に進む。Ｓ８０２で流し撮りに設定されない場合、システム制御部１３４は、Ｓ８０４に進む。
【００８０】
Ｓ８０４で、システム制御部１３４は、第１シャッタスイッチ信号ＳＷ１がオンになるのを待機する。第１シャッタスイッチ信号ＳＷ１がオンになると、システム制御部１３４は、Ｓ８０５に進む。
【００８１】
Ｓ８０５で、システム制御部１３４は、図６を参照して説明した手順で、レリーズ処理を行い、図８に示す処理を終了する。
【００８２】
流し撮り設定をオン（有効）に切り替えた際に、セルフタイマ設定を解除するので、セルフタイマ設定を撮影者が手動で事前に解除する必要なしに、流し撮りを行うことが出来る。これにより、セルフタイマ設定に邪魔されずに、自らのタイミングで流し撮りを行える。
【実施例３】
【００８３】
図９は、流し撮りの別の制御フローチャートを示す。図９に示すフローチャートに対応するプログラムが不揮発性メモリ１７２に格納されており、システム制御部１３４は、このプログラムをシステムメモリ１７４に展開し実行することで、図９に示す処理を実現する。
【００８４】
Ｓ９０１で、システム制御部１３４は、撮影モードの切替え操作が行われたか否かを判定する。システム制御部１３４は、撮影モード切替えの設定画面を表示部１６４に表示する。撮影者は、操作部１７８のモードダイヤルスイッチ等を使って、撮影モードを切り替える。ここでは、複数の撮影モード（例えば、上述の静止画記録モードの各モードや、各シーンモード、流し撮り撮影モード）のいずれかに切り替えることが可能である。ここで流し撮り撮影モードに切り替えられると、流し撮り撮影の補助機能が有効となる。Ｓ９０１で撮影モードの切替え操作が行われた場合、システム制御部１３４は、Ｓ９０２で、図５を参照して説明した手順で連写／単写／セルフタイマ設定を切替え、Ｓ９０３に進む。Ｓ９０１で撮影モードの切替え操作が行われていない場合、システム制御部１３４は、Ｓ９０３に進む。
【００８５】
Ｓ９０３で、システム制御部１３４は、第１シャッタスイッチ信号ＳＷ１がオンになるのを待機する。第１シャッタスイッチ信号ＳＷ１がオンになると、システム制御部１３４は、Ｓ９０４に進む。
【００８６】
Ｓ９０４で、システム制御部１３４は、図６を参照して説明した手順で、レリーズ処理を行い、図９に示す処理を終了する。
【００８７】
流し撮り設定をオン（有効）に切り替えた際に、セルフタイマ設定を解除するので、セルフタイマ設定を撮影者が手動で事前に解除する必要なしに、流し撮り撮影を行うことが出来る。これにより、セルフタイマ設定に邪魔されずに、自らのタイミングで流し撮り撮影を行える。
なお、上述した実施形態においては、流し撮り撮影の補助機能として、通常用測光処理（Ｓ６０４）の場合よりシャッタ速度を遅くする（Ｓ６０３）例を説明したが、流し撮り撮影の補助機能はこれに限るものではない。例えば、流し撮り撮影の際に姿勢検知部１８６で検知したデジタルカメラ１００の動き方向と、その際のライブビュー画像の解析結果の少なくとも一方に基づいて、カメラの意図的なフレーミングの移動方向を判定する。例えば、左から右に移動する被写体を主被写体とするために、カメラを左から右にパンニングして流し撮り撮影を行っている場合は、意図的なフレーミング方向は左から右であると判定される。この場合、流し撮り撮影の補助機能として、意図的なフレーミングの方向（左右方向、水平方向）以外の方向のブレ補正（上下方向のブレ補正）を行ってもよい。あるいは、流し撮り撮影の補助機能として、意図的なフレーミングの方向（左右方向、水平方向）以外の方向のブレ補正（上下方向のブレ補正）を、意図的なフレーミングの方向のブレ補正よりも強くかけてもよい。さらには、流し撮り撮影の際に姿勢検知部１８６で検知したデジタルカメラ１００の動き方向と、その際のライブビュー画像の解析結果の少なくとも一方に基づいて、カメラの動きと同じ方向に動いている被写体を抽出し、主被写体と判定する。流し撮り撮影においては、この主被写体は像ブレが少なく、それ以外の背景は像ブレすることで流れている躍動感が表現される。しかし主被写体を追うためのフレーミングを主被写体の動きと完全に一致した速度とすることはユーザには難しく、意図的なフレーミングの方向についても主被写体の像ブレが発生する可能性がある。そこで、流し撮り撮影の補助機能として、意図的なフレーミングの方向（左右方向、水平方向）のブレについても、抽出された主被写体について像ブレが少なくなるようなブレ補正をしてもよい。さらに、流し撮り撮影の補助機能として、フレーミングの際にユーザが主被写体を撮影範囲のうち一定の位置に収めやすくするように、撮影範囲の一定の位置に枠などの指標を表示するようにしてもよい。
【００８８】
システム制御部１３４による上述の各種制御は、１つのハードウェアが行ってもよいし、複数のハードウェアが処理を分担することで、装置全体の制御を行ってもよい。
【００８９】
本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００９０】
また、上述した実施形態においては、本発明を撮像装置に適用した場合を例にして説明したが、本発明は、流し撮り撮影が可能であって、セルフタイマを設定できる撮像機能を有する機器に適用可能である。流し撮りのための撮影方法の変更自体は、手動、自動及び遠隔操作のいずれであってもよい。例えば、パーソナルコンピュータやＰＤＡ、携帯電話端末や携帯型の画像ビューワ、デジタルフォトフレーム、ゲーム機、電子ブックリーダー、タブレット端末、スマートフォン、カメラ付きの投影装置などに適用可能である。
【００９１】
本発明は、上述の実施形態の１以上の機能を実現するプログラムを、ネットワーク又は記憶媒体を介してシステム又は装置に供給し、そのシステム又は装置のコンピュータにおける１つ以上のプロセッサがプログラムを読出し実行する処理でも実現可能である。また、１以上の機能を実現する回路（例えば、ＡＳＩＣ）によっても実現可能である。
【図１】
2018026608.tif 000003
【図２】
2018026608.tif 000004
【図３】
2018026608.tif 000005
【図４】
2018026608.tif 000006
【図５】
2018026608.tif 000007
【図６】
2018026608.tif 000008
【図７】
2018026608.tif 000009
【図８】
2018026608.tif 000010
【図９】
2018026608.tif 000011